(57)【要約】      （修正有）【課題】光回線終端装置の送光出力強度、受光強度に対応させた光度で発光部を発光させる光回線終端装置及び光度調整装置を提供する。【解決手段】発光部を備える光回線終端装置において、光回線を通じて対向装置との間で信号光を送信又は受信する光通信手段と、光通信手段による信号光の送信に係る電気信号又は光通信手段による信号光の受信に係る電気信号に基づいて得た電流値を、発光部への駆動電流値として発光部に電流を印加する駆動電流値出力手段とを備える。発光部は、光通信手段による信号光の送光強度又は光通信手段における信号光の受光強度に対応する光度で発光する。【選択図】図１
2020141211.tif 000002
【特許請求の範囲】
【請求項１】
発光部を備える光回線終端装置において、
光回線を通じて対向装置との間で信号光を送信又は受信する光通信手段と、
上記光通信手段による上記信号光の送信に係る電気信号又は上記光通信手段による上記信号光の受信に係る電気信号に基づいて得た電流値を、上記発光部への駆動電流値として上記発光部に電流を印加する駆動電流値出力手段と
を備え、
上記発光部が、上記光通信手段による上記信号光の送光強度又は上記光通信手段における上記信号光の受光強度に対応する光度で発光する
ことを特徴とする光回線終端装置。
【請求項２】
上記光通信手段が、送信又は受信した上記信号光を電気信号に変換する光電変換部を有し、
上記駆動電流値出力手段が、
上記信号光の送信に係る上記電気信号又は上記信号の受信に係る上記電気信号の値と上記発光部の階調に係る複数の駆動電流設定値とを対応付けた対応情報を参照し、上記光電変換部からの上記電気信号の値に対応する駆動電流設定値を出力する駆動電流制御部と、
上記駆動電流制御部からの上記駆動電流設定値に対応する電流値の電流を上記発光部に出力する発光部駆動部と
を有する
ことを特徴とする請求項１に記載の光回線終端装置。
【請求項３】
上記光通信手段が、送信又は受信した上記信号光を電気信号に変換する光電変換部を有し、
上記駆動電流値出力手段が、上記光電変換部からの上記電気信号を増幅又は上記電気信号の電圧値を電流値に変換して、上記発光部に出力する
ことを特徴とする請求項１に記載の光回線終端装置。
【請求項４】
上記駆動電流値出力手段が、上記光通信手段への上り電気信号に係る電流値の電流を上記発光部に出力することを特徴とする請求項１に記載の光回線終端装置。
【請求項５】
上記駆動電流値出力手段が、上記光通信手段により受信された上記信号光を電気信号に変換した下り電気信号に係る電流値を上記発光部に出力することを特徴とする請求項１に記載の光回線終端装置。
【請求項６】
発光部と、上記発光部に駆動電流を出力する駆動制御部とを備える光回線終端装置の上記発光部の光度を光度調整する光度調整装置において、
発光している上記発光部の光度を測定する光度測定部と、
上記光度測定部により測定された光度測定値と、予め設定されている基準光度との比較結果を、上記光回線終端装置の上記駆動制御部に通知して、上記発光部の光度を上記基準光度となるように制御する制御部と
を備えることを特徴とする光度調整装置。
【発明の詳細な説明】
【技術分野】
【０００１】
本発明は、光回線終端装置及び光度調整装置に関し、例えば、光通信システムを構成する光回線終端装置に適用し得るものである。
【背景技術】
【０００２】
近年、高速・広帯域ブロードバンドサービスを加入者宅に提供するために、伝送路に光ファイバを用いたＦＴＴＨ（Ｆｉｂｅｒ  Ｔｏ  Ｔｈｅ  Ｈｏｍｅ）が普及している。ＦＴＴＨによるブロードバンドサービスの提供には、光通信システムとしてＰＯＮ（Ｐａｓｓｉｖｅ  Ｏｐｔｉｃａｌ  Ｎｅｔｗｏｒｋ）が多く利用されている。
【０００３】
ＰＯＮは、一般的に、光ファイバを介して、局側光回線終端装置（ＯＬＴ：Ｏｐｔｉｃａｌ  Ｌｉｎｅ  Ｔｅｒｍｉｎａｌ）と、加入者側光回線終端装置（ＯＮＵ：Ｏｐｔｉｃａｌ  Ｎｅｔｗｏｒｋ  Ｕｎｉｔ）と、光スプリッタとを有している。
【０００４】
加入者宅に設置されるＯＮＵには、ＯＮＵの動作状態等を示すために、発光部としてＬＥＤ（Ｌｉｇｈｔ  Ｅｍｉｔｔｉｎｇ  Ｄｉｏｄｅ）が設けられているものがある。そして、ＯＮＵにおいて、制御部から動作状態を示す制御信号が通知されると、その動作状態に応じた電流がＬＥＤに印加されることにより、ＬＥＤが点灯、消灯又は点滅するようにしている。これにより、ユーザや設置作業者等は、ＰＯＮに接続しているＯＮＵの動作状態を目視確認することができる。
【０００５】
特許文献１の記載技術は、動作状態を示すＬＥＤを備える加入者側装置が、接続している下位ネットワーク側の装置との接続状態に応じて、ＬＥＤの輝度を制御する電流制御部を備えるものである。
【先行技術文献】
【特許文献】
【０００６】
【特許文献１】特開２０１１−６６７８４号公報
【発明の概要】
【発明が解決しようとする課題】
【０００７】
ところで、従来のＯＮＵは、動作状態を示すために、ＬＥＤを点灯、消灯又は点滅させているに過ぎず、ＬＥＤには、一定の電流値が印加されるようにしている。
【０００８】
しかしながら、加入者宅にＯＮＵを設置する際に、ＯＮＵの送光出力強度やＯＬＴからの受光強度が、光通信システムのシステム条件に対応する光強度を満たしているか否かを確認することが必要となるが、ＯＮＵの送光強度や受光強度を確認することは難しい。
【０００９】
そのため、ＬＥＤを備える光回線終端装置であって、ＯＮＵの送光出力強度や、ＯＬＴからの受光強度に対応させた光度（輝度）でＬＥＤを発光させることできる光回線終端装置及び光度調整装置が求められている。
【課題を解決するための手段】
【００１０】
かかる課題を解決するために、第１の本発明は、発光部を備える光回線終端装置において、（１）光回線を通じて対向装置との間で信号光を送信又は受信する光通信手段と、（２）光通信手段による信号光の送信に係る電気信号又は光通信手段による信号光の受信に係る電気信号に基づいて得た電流値を、発光部への駆動電流値として発光部に電流を印加する駆動電流値出力手段とを備え、発光部が、光通信手段による信号光の送光強度又は光通信手段における信号光の受光強度に対応する光度で発光することを特徴とする。
【００１１】
第２の本発明は、発光部と、発光部に駆動電流を出力する駆動制御部とを備える光回線終端装置の発光部の光度を光度調整する光度調整装置において、（１）発光している発光部の光度を測定する光度測定部と、（２）光度測定部により測定された光度測定値と、予め設定されている基準光度との比較結果を、光回線終端装置の駆動制御部に通知して、発光部の光度を基準光度となるように制御する制御部とを備えることを特徴とする。
【発明の効果】
【００１２】
本発明によれば、光回線終端装置の送光出力強度、受光強度に対応させた光度で発光部を発光させることできる。
【図面の簡単な説明】
【００１３】
【図１】第１の実施形態に係るＯＮＵの基本的な概念を説明する説明図である。
【図２】第１の実施形態に係る光通信システムの全体構成を示す全体構成図である。
【図３】第１の実施形態に係るＯＮＵの内部構成を示す内部構成図である。
【図４】第１の実施形態の送光側発光部の光度調整処理（その１）を説明する説明図である。
【図５】第１の実施形態に係る電流設定値の一例を説明する説明図である。
【図６】第１の実施形態の送光側発光部の光度調整処理（その２）を説明する説明図である。
【図７】第１の実施形態に係る電流設定値の一例を説明する説明図である。
【図８】第１の実施形態の送光側発光部の光度調整処理（その３）を説明する説明図である。
【図９】第１の実施形態の送光側発光部の光度調整処理（その４）を説明する説明図である。
【図１０】第１の実施形態の受光側発光部の光度調整処理（その１）を説明する説明図である。
【図１１】第１の実施形態に係る電流設定値の一例を説明する説明図である。
【図１２】第１の実施形態の受光側発光部の光度調整処理（その２）を説明する説明図である。
【図１３】第１の実施形態の受光側発光部の光度調整処理（その３）を説明する説明図である。
【図１４】第１の実施形態に係る電流設定値の一例を説明する説明図である。
【図１５】第１の実施形態の受光側発光部の光度調整処理（その４）を説明する説明図である。
【図１６】第１の実施形態に係る電流設定値の一例を説明する説明図である。
【図１７】第１の実施形態の受光側発光部の光度調整処理（その５）を説明する説明図である。
【図１８】第２の実施形態に係るＯＮＵに設けられている発光部の光度調整システムの構成を示す構成図である。
【図１９】第２の実施形態において撮像装置を用いた場合の光度調整処理の動作を示すシーケンス図である。
【図２０】第２の実施形態において撮像装置を用いた場合の光度調整処理の動作を示すシーケンス図である。
【発明を実施するための形態】
【００１４】
（Ａ）第１の実施形態
以下では、本発明に係る光回線終端装置の第１の実施形態を、図面を参照しながら詳細に説明する。
【００１５】
（Ａ−１）基本概念
加入者宅にＯＮＵを設置して、ＯＮＵを光通信システムに接続させる際に、例えば、ＯＮＵの光信号検出、ＰＯＮリンク確立、センタによる認証等の通信条件を満たす必要がある。従来、ＬＥＤ等の発光部を備えるＯＮＵでは、通信状態が正常である場合には、ＬＥＤに一定の電流値の電流が印加されることにより、ＬＥＤが点灯するため、ＯＮＵの通信状態を確認することができる。
【００１６】
さらに、光通信システムを構築する際、通信品質を保証するために、種々のシステム条件が定められており、そのシステム条件の下で、ＯＬＴとＯＮＵとの間で光信号が正しい光強度で伝送されているか否かを確認することが求められる。
【００１７】
ＯＬＴとの間で光信号が正しく伝送できていない場合、その原因を特定した上で対処することが望まれる。しかし、その原因として、例えばＯＮＵに搭載されている光送信部や光受信部に異常が生じている場合や、例えばＯＬＴとＯＮＵとの接続距離がシステム条件に対応した距離以上である場合や、又例えば接続網での光信号のレベル損失である場合などが考えられるため、原因特定をすることが非常に難しい。
【００１８】
従来、例えばパワーメータ等の専用機器を、接続している光コネクタの端面に当てて、ＯＮＵの送光強度や受光強度等を測定して、作業者が原因を特定して対処している。しかし、一般ユーザがＯＮＵを自主的に設置する場合や、作業者が専用機器を所持していないような場合もあり、そのような場合には、原因を推定することは難しい。
【００１９】
また、本来の特性が保証されていないＯＮＵを誤使用することや、経年劣化等により特性が劣化したものや、一部機能に不良が生じているようなＯＮＵを再使用していないことも考えられ、そのような場合には、運用開始後にユーザがサービスを受けられなくなるケースも生じ得る。
【００２０】
そこで、第１の実施形態では、発光部を備える光回線終端装置であって、ＯＮＵの送光出力強度や、ＯＬＴからの受光強度に対応させた光度（輝度）でＬＥＤを発光させるようにする。これにより、発光部が発光する光度（輝度）により、ＯＮＵの送光強度や受光強度を確認することができる。
【００２１】
図１は、第１の実施形態に係るＯＮＵの基本的な概念を説明する説明図である。
【００２２】
図１（Ａ）は、ＯＮＵにおける光送信部１２１側の概略的な構成を示しており、図１（Ｂ）は、ＯＮＵにおける光受信部１２２側の概略的な構成を示している。
【００２３】
図１（Ａ）に示すように、ＯＮＵの光送信部１２１側には、例えばＴＯＳＡ（Ｔｒａｎｓｍｉｔｔｅｒ  Ｏｐｔｉｃａｌ  ＳｕｂＡｓｓｅｍｂｌｙ）等の信号光送信部２１と、例えばＬＥＤ等の送光側発光部２０と、送光側発光部２０を発光させる駆動電流値を送光側発光部２０に印加する駆動電流値印加部５０とが設けられている。
【００２４】
ここで、送光側発光部２０が発光する光度に関する光度基準は、ＯＮＵ側において予め設定されているものとする。
【００２５】
主信号としての電気信号が信号光送信部２１に入力されると、信号光送信部２１は、電気信号を信号光に変換して光ファイバに送信する。駆動電流値印加部５０には、信号光送信部２１の送信出力強度に対応させた情報値が入力し、この情報値に対応させた駆動電流値を送光側発光部２０に印加する。
【００２６】
ここで、送信出力強度に対応させた情報値については、以下で詳細に説明するが、例えば、送光出力強度をモニタしたモニタ値、送光出力強度に対応させた設定値、主信号の電気信号の電力値（電圧値、電流値等を含む値）等とすることができる。
【００２７】
これにより、送光側発光部２０は、信号光送信部２１の送光出力強度の値に対応させた光度で発光する。換言すると、信号光送信部２１が送信した送光出力強度が高い場合には、送光側発光部２０も送光出力強度に対応した高い光度で発光し、信号光送信部２１が送信した信号光の送光出力強度が低い場合には、送光側発光部２０も送光出力強度に対応した低い光度で発光する。
【００２８】
なお、駆動電流値印加部５０の機能は、後述するＭＡＣ部１１のＬＥＤ駆動制御部１１１、ＬＤＤ２２、ＬＥＤ駆動部２４、増幅部２３が行なう。ＬＥＤ駆動制御部１１１、ＬＤＤ２２、ＬＥＤ駆動部２４、増幅部２３の詳細な処理については後述する。
【００２９】
図１（Ｂ）に示すように、ＯＮＵの光受信部１２２側には、例えばＲＯＳＡ（Ｒｅｃｅｉｖｅｒ  Ｏｐｔｉｃａｌ  ＳｕｂＡｓｓｅｍｂｌｙ）等の信号光受信部３１と、例えばＬＥＤ等の受光側発光部３０と、受光側発光部３０を発光させる駆動電流値を受光側発光部３０に印加する駆動電流値印加部５１とが設けられている。
【００３０】
ここで、受光側発光部３０が発光する光度に関する光度基準についても、ＯＮＵ側において予め設定されているものとする。
【００３１】
信号光受信部３１が、光ファイバを通じて信号光を受信し、信号光を電気信号に変換して出力する。駆動電流値印加部５１には、信号光受信部３１の受光強度に対応させた情報値が入力し、この情報値に対応させた駆動電流値を受光側発光部３０に印加する。
【００３２】
ここで、受光強度に対応させた情報値については、以下で詳細に説明するが、例えば、受光強度をモニタしたモニタ値、受光強度に対応させた設定値、受信した主信号の電気信号の電力値（電圧値、電流値等を含む値）等とすることができる。
【００３３】
これにより、受光側発光部３０は、信号光受信部３１の受光強度の値に対応させた光度で発光する。換言すると、信号光受信部３１が受信した信号光の受光強度が高い場合には、受光側発光部３０も受光強度に対応した高い光度で発光し、信号光受信部３１が受信した信号光の受光強度が低い場合には、受光側発光部３０も受光強度に対応した低い光度で発光する。
【００３４】
なお、駆動電流値印加部５１の機能は、後述するＭＡＣ部１１のＬＥＤ駆動制御部１１１、ＬＩＭ−ＡＭＰ３２、ＬＥＤ駆動部３３、ＬＥＤ駆動部３４が行なう。ＬＥＤ駆動制御部１１１、ＬＩＭ−ＡＭＰ３２、ＬＥＤ駆動部３３、ＬＥＤ駆動部３４の詳細な処理については後述する。
【００３５】
（Ａ−２）第１の実施形態の構成
［光通信システムの全体構成］
図２は、第１の実施形態に係る光通信システムの全体構成を示す全体構成図である。
【００３６】
図２において、第１の実施形態に係る光通信システムＮＴは、局側光回線終端装置（ＯＬＴ）２、複数の加入者側光回線終端装置（ＯＮＵ）１−１〜１−ｎ（ｎは整数）、光スプリッタ３を有する。
【００３７】
光通信システムＮＴは、光スプリッタ３を用いて、１本の光ファイバ７を分岐させて、ＯＬＴ２と複数のＯＮＵ１−ｉ（１≦ｉ≦ｎ）とを１対多に接続する構成である。このように、光ファイバ７や伝送装置を複数の加入者で共有することにより経済的なＦＴＴＨサービスを提供することができる。
【００３８】
なお、図２では、説明を容易にするために、最も簡単なネットワークトポロジーを例示するが、光通信システムＮＴのネットワークトポロジーは様々な構成を採用することができる。また、光通信システムＮＴにおける通信方式は、特に限定されるものではなく、様々な方式を広く適用することができる。
【００３９】
また、ＯＮＵ１−ｉからＯＬＴ２に向けて送信される信号を上り信号と呼び、ＯＬＴ２からＯＮＵ１−ｉに向けて送信される信号を下り信号と呼ぶ。
【００４０】
第１の実施形態では、図２に例示するような光通信システムＮＴを構築するために、ＯＮＵ１を加入者宅に設置する場合を例示して説明する。
【００４１】
［ＯＮＵの内部構成］
ＯＮＵ１は、加入者側光回線終端装置であり、光ファイバ７を通じて光スプリッタ３と接続しており、ＯＬＴ２との間で信号光を送光又は受光するものである。また、ＯＮＵ１は、図示しないＵＮＩ（Ｕｓｅｒ  Ｎｅｔｗｏｒｋ  Ｉｎｔｅｒｆａｃｅ）を介して、１又は複数の情報端末（図示しない）と接続可能なものである。
【００４２】
図３は、第１の実施形態に係るＯＮＵ１の内部構成を示す内部構成図である。
【００４３】
図３において、第１の実施形態のＯＮＵ１は、主として、ＭＡＣ（Ｍｅｄｉａ  Ａｃｃｅｓｓ  Ｃｏｔｒｏｌ）部１１と、光通信部１２とを備える。光通信部１２は、光トランシーバとして光送信部１２１と光受信部１２２とを備える。
【００４４】
光送信部１２１は、送光側発光部２０、信号光送信部２１、ＬＤＤ２２、増幅部２３、ＬＥＤ駆動部２４を有する。なお、光送信部１２１の各構成要素のうち、増幅部２３とＬＥＤ駆動部２４は、送光側発光部２０への駆動電流値の制御方法により、必要に応じて設けるようにしてもよい。
【００４５】
光受信部１２２は、受光側発光部３０、信号光受信部３１、リミッティングアンプ（ＬＩＭ−ＡＭＰ）３２、ＬＥＤ駆動部３３、ＬＥＤ駆動部３４を有する。なお、光受信部１２２の各構成要素のうち、ＬＥＤ駆動部３３とＬＥＤ駆動部３４は、受光側発光部３０への駆動電流値の制御方法により、必要に応じて設けるようにしてもよい。
【００４６】
図３に例示するＯＮＵ１は、例えば、１枚の電子回路基板上に構成部品を設けたモジュールとして構成されるようにしてもよいし、複数枚の電気回路基板上に構成部品を分割して配置し、複数枚の電気回路基板を電気的に接続可能なモジュールとして構成されるようにしてもよい。なお、図３は、ＯＮＵ１の機能構成を概念的に表したものである。したがって、各構成要素の配置位置や、各構成要素間を結ぶ信号線の接続状態は、図３の例に限定されるものではない。
【００４７】
［ＭＡＣ部１１］
ＭＡＣ部１１は、光通信システム（ＰＯＮ）のＭＡＣレイヤーの処理を行なうものであり、例えば、ＭＡＣ−ＬＳＩ、メモリ等を有して構成されるものである。
【００４８】
ＭＡＣ部１１は、図示しない情報端末側から、入力された上り電気信号（主信号）に対して、所定の処理（例えば、暗号化、符号化、誤り訂正、シリアル・パラレル変換等）を行なって、ＬＤＤ２２に与えるものである。また、ＭＡＣ部１１は、ＬＩＭ−ＡＭＰ３２から下り電気信号（主信号）を受け取り、所定の処理を行なって、図示しない情報端末側に与えるものである。
【００４９】
ＭＡＣ部１１は、通信動作状態に応じて、送光側発光部２０及び受光側発光部３０を発光させるＬＥＤ駆動制御部１１１を有する。
【００５０】
ＬＥＤ駆動制御部１１１は、送光側発光部２０及び受光側発光部３０のそれぞれが基準光度で発光させるために、送光側発光部２０及び受光側発光部３０のそれぞれに印加する駆動電流値を示す電流設定値１１１ａを記憶している。
【００５１】
電流設定値１１１ａは、１つの基準光度と、その基準光度で発光させるために印加する駆動電流値とを対応付けたものであっても良い。また、複数の基準光度のそれぞれと、各基準光度で発光させるために印加する駆動電流値とを対応付けたものであってもよい。後者の場合、複数の基準光度で発光させることができるので、それぞれ光度の異なる明るさで段階的に発光させることができる。
【００５２】
送光側発光部２０と受光側発光部３０はそれぞれ異なる部品特性を有する場合があるので、同じ電流値を印加しても、送光側発光部２０と受光側発光部３０のそれぞれが発光する光度が異なってしまうことがある。そのため、ＬＥＤ駆動制御部１１１は、同じ光度で発光させるために、送光側発光部２０と受光側発光部３０のそれぞれの電流設定値１１１ａを記憶している。これにより、それぞれの電流設定値１１１ａが、送光側発光部２０と受光側発光部３０のそれぞれに印加されることにより、送光側発光部２０と受光側発光部３０は同じ光度で発光する。
【００５３】
なお、ＭＡＣ部１１における処理の詳細な説明は、動作の項で行なう。
【００５４】
［光送信部１２１］
送光側発光部２０は、例えばＬＥＤ等を適用することができ、ＯＮＵ１の筐体の外側に設けられている。送光側発光部２０が設けられる位置は、ＯＮＵ１を設置する際に設置する者が目視することができる位置であれば、特に限定されるものである。
【００５５】
ＬＤＤ２２は、信号光送信部２１を制御するものである。ＬＤＤ２２は、ＭＡＣ部１１から上り電気信号（主信号）を増幅等して、上り電気信号（主信号）を信号光送信部２１に与える。ＬＤＤ２２は、ＡＤＣ（アナログ−ディジタル変換）回路２２１と、環境温度を検知する温度センサ２２２を有する。
【００５６】
信号光送信部２１は、例えばＴＯＳＡ等のモジュールを適用することができる。信号光送信部２１は、ＬＤＤ２２からの上り電気信号（主信号）を信号光に変換して光ファイバ７に送信するものである。これにより、対向するＯＬＴ２に信号光を送信できる。信号光送信部２１は、発光素子としてのレーザダイオード（ＬＤ）２１１と、発光した信号光を電気信号に変換するモニタフォトダイオード（Ｍｏｎｉｔｏｒ  ＰＤ）２１２を有する。
【００５７】
増幅部２３は、信号光送信部２１のＰＤ２１２から発光強度電流値（「モニタ電流値」とも呼ぶ。）が入力され、その発光強度電流値を増幅させて送光側発光部２０に印加するものである。
【００５８】
ＬＥＤ駆動部２４は、ＭＡＣ部１１から送光側発光部２０に印加する駆動電流値に関する制御信号が入力され、制御信号に応じた駆動電流値を送光側発光部２０に印加するものである。
【００５９】
［光受信部１２２］
受光側発光部３０は、例えばＬＥＤ等を適用することができ、ＯＮＵ１の筐体の外側に設けられている。受光側発光部３０も、送光側発光部２０と同様に、設置する者が目視することができる位置であれば特に限定されない。
【００６０】
信号光受信部３１は、例えばＲＯＳＡ等のモジュールを適用することができる。信号光受信部３１は、光ファイバ７を通じて信号光を受光すると、信号光を電気信号に変換して下り電気信号（主信号）としてＬＩＭ−ＡＭＰ３２に出力する。
【００６１】
ＬＩＭ−ＡＭＰ３２は、信号光受信部３１から下り電気信号（主信号）を増幅して、その増幅した下り電気信号をＭＡＣ部１１に与える。ＬＩＭ−ＡＭＰ３２は、Ｌｅｂｅｌ  Ｄｅｔｅｃｔ回路３２２と、コンパレータ回路３２１とを有する。
【００６２】
ＬＥＤ駆動部３３は、信号光受信部３１から下り電気信号（主信号）が入力されると、その電圧値に従った駆動電流値の電流を受光側発光部３０に印加する。
【００６３】
ＬＥＤ駆動部３４は、ＭＡＣ部１１から規定されている駆動電流の設定値が入力され、その駆動電流の設定値を受光側発光部３０に印加する。
【００６４】
（Ａ−３）第１の実施形態の動作
次に、第１の実施形態のＯＮＵ１において、送光側発光部２０、受光側発光部３０を発光させる光度を調整する光度調整処理の動作を、図面を参照しながら説明する。
【００６５】
以下では、送光側発光部２０の光度調整処理と、受光側発光部３０の光度調整処理とを区別しながら、それぞれ複数の光度調整処理の動作を説明する。
【００６６】
ＯＮＵ１においては、後述する、複数の送光側発光部２０の光度調整処理と、複数の受光側発光部３０の光度調整処理との組み合わせのうちいずれかの組み合わせを適用するようにしてもよい。
【００６７】
（Ａ−３−１）送光側発光部２０の光度調整処理
［送光側発光部２０の光度調整処理（その１）］
図４は、第１の実施形態の送光側発光部２０の光度調整処理（その１）を説明する説明図である。
【００６８】
この処理を実施する場合には、増幅部２３は必須要素としなくてもよいので、図４では増幅部２３を省略している。
【００６９】
ＭＡＣ部１１は、上り方向の主信号が入力されると、その主信号をＬＤＤ２２に出力する。ＬＤＤ２２は、ＭＡＣ部１１からの上り電気信号（主信号）を増幅等して、信号光送信部２１に出力する。信号光送信部２１に、ＬＤＤ２２から上り電気信号（主信号）が入力されると、上り電気信号の電圧値がＬＤ２１１に印加され、ＬＤ２１１から信号光が発振される。ＬＤ２１１が発振した信号光が光ファイバ７に結合されて、信号光が伝送される。
【００７０】
信号光送信部２１では、Ｍｏｎｉｔｏｒ  ＰＤ２１２は、ＬＤ２１１が発振した信号光をモニタして、自己の発光強度と相関のあるモニタ電流値をＬＤＤ２２に出力する。ＬＤＤ２２では、信号光送信部２１のＭｏｎｉｔｏｒ  ＰＤ２１２からのモニタ電流値がＡＤＣ回路２２１に入力し、アナログのモニタ電流値がディジタル値に変換され、そのモニタ電流値のディジタル値が保持される。
【００７１】
ＭＡＣ部１１は、ＬＤＤ２２に保持されているモニタ電流値のディジタル値をシリアルインタフェースにして取得する。ＭＡＣ部１１は、モニタ電流値のディジタル値の大きさに基づいて、送光側発光部２０の光度がモニタ電流値の大きさに対応する光度となるように電流設定値を導出する。
【００７２】
例えば、図５に例示するように、電流設定値１１１ａは、基準光度と、電流設定値と、モニタ電流値とが対応付けられており、送光側発光部２０の光度を、モニタ電流値の大きさに対応する光度となるように設定されているものとする。そして、ＭＡＣ部１１は、図５に例示する電流設定値１１１ａを参照して、送光側発光部２０の光度に対応する電流設定値を導出し、ＬＥＤ駆動部２４に出力する。
【００７３】
ＬＥＤ駆動部２４は、ＭＡＣ部１１から取得した電流設定値に対応する駆動電流値の電流を送光側発光部２０に印加し、送光側発光部２０は印加された駆動電流値に基づいて発光する。これにより、モニタ電流値の大きさに応じた光度で、送光側発光部２０は発光することができる。
【００７４】
この場合、モニタ電流値の大きさに応じて、送光側発光部２０は、それぞれ光度が異なる複数の段階に発光することができる。つまり、信号光送信部２１の送光強度の大きさに応じた光度で送光側発光部２０が発光するので、作業者は、送光側発光部２０の光度の程度（段階的な光度）を目視することで、送光強度の大きさを確認することができる。
【００７５】
ここで、Ｍｏｎｉｔｏｒ  ＰＤ２１２がモニタしたモニタ電流値をＬＤＤ２２に出力し、ＬＤＤ２２が、温度センサ２２２により検知した温度の値と、モニタ電流値の大きさに基づいて、過大電流であることを検知できるようにしてもよい。これは、信号光送信部２１のＬＤ２１１及びＬＤＤ２２周辺の温度が所定値に達した場合（すなわち高温状態の場合）に、モニタ電流値が閾値よりも大きくなると過大電流となるので、ＬＤ２１１の発光を停止させることが必要となる。そこで、ＬＤＤ２２は、温度センサ２２２の値が所定値を超え、かつ、モニタ電流値の大きさが閾値を超えたときには、ＬＤＤ２２がＬＤ２１１への出力を停止するようにしてもよい。
【００７６】
さらに、ＬＤＤ２２は、ＰＤ２１２からモニタ電流値が出力されない場合には、信号光送信部２１に異常が生じていることを検出することができる。その場合、信号光送信部２１に異常があることをＭＡＣ部１１に通知し、ＭＡＣ部１１が送光側発光部２０を発光（例えば点滅など）させることで、信号光送信部２１の異常を報知するようにしてもよい。
【００７７】
［送光側発光部２０の光度調整処理（その２）］
図６は、第１の実施形態の送光側発光部２０の光度調整処理（その２）を説明する説明図である。
【００７８】
この処理を実施する場合も、増幅部２３は必須要素としなくてもよいので、図６では増幅部２３を省略している。
【００７９】
ＭＡＣ部１１は上り電気信号（主信号）をＬＤＤ２２に出力し、ＬＤＤ２２が上り電気信号（主信号）を増幅等して信号光送信部２１に出力する。信号光送信部２１は、上り電気信号（主信号）を信号光に変換して、信号光を光ファイバ７に送信する。
【００８０】
ＬＤＤ２２では、信号光送信部２１に出力する上り電気信号（主信号）の主信号発光強度設定値を保持しており、ＭＡＣ部１１は、ＬＤＤ２２から主信号発光強度設定値を取得する。ＭＡＣ部１１は、ＬＤＤ２２から取得した主信号発光強度設定値に対応する電流設定値を導出する。
【００８１】
例えば、図７に例示するように、電流設定値１１１ａは、基準光度と、電流設定値と、主信号発光強度設定値とが対応付けられているものとする。この場合、ＭＡＣ部１１は、図７に例示する電流設定値１１１ａを参照して、主信号発光強度設定値に対応する電流設定値を導出し、ＬＥＤ駆動部２４に出力する。
【００８２】
ＬＥＤ駆動部２４は、ＭＡＣ部１１から取得した電流設定値に対応する駆動電流値の電流を送光側発光部２０に印加し、送光側発光部２０は印加された駆動電流値に基づいて発光する。これにより、信号光送信部２１の送光強度の大きさに応じた光度で送光側発光部２０を発光させることができる。
【００８３】
［送光側発光部２０の光度調整処理（その３）］
図８は、第１の実施形態の送光側発光部２０の光度調整処理（その３）を説明する説明図である。
【００８４】
この処理を実施する場合も、増幅部２３は必須要素としなくてもよいので、図８では増幅部２３を省略している。
【００８５】
ＭＡＣ部１１は上り電気信号（主信号）をＬＤＤ２２に出力し、ＬＤＤ２２が上り電気信号（主信号）を増幅等して信号光送信部２１に出力する。信号光送信部２１は、上り電気信号（主信号）を信号光に変換して、信号光を光ファイバ７に送信する。
【００８６】
ＬＤＤ２２には、図示しない定電流源回路が設けられており、この定電流源回路が信号光送信部２１のＬＤ２１１に対する発光制御を行ない、上り電気信号（主信号）に対応する電圧値がＬＤ２１１に印加される。また、定電流源回路が電流制限抵抗を介して並列接続されており、上り電気信号（主信号）に対応する電圧値が電流値（主信号電流値）に変換されて送光側発光部２０に電流が印加される。これにより、信号光送信部２１の送光強度の大きさに応じた光度で送光側発光部２０を発光させることができる。
【００８７】
［送光側発光部２０の光度調整処理（その４）］
図９は、第１の実施形態の送光側発光部２０の光度調整処理（その４）を説明する説明図である。
【００８８】
この処理を実施する場合、ＬＥＤ駆動部２４は必須要素としなくてもよいので、図９ではＬＥＤ駆動部２４を省略している。
【００８９】
ＭＡＣ部１１は上り電気信号（主信号）をＬＤＤ２２に出力し、ＬＤＤ２２が上り電気信号（主信号）を増幅等して信号光送信部２１に出力する。信号光送信部２１は、上り電気信号（主信号）を信号光に変換して、信号光を光ファイバ７に送信する。
【００９０】
信号光送信部２１では、Ｍｏｎｉｔｏｒ  ＰＤ２１２が、ＬＤ２１１により発振された信号光をモニタして、自己の発光強度と相関のあるモニタ電流値を増幅部２３に出力する。増幅部２３では、送光側発光部２０の光度がモニタ電流値の大きさに対応する光度となるように、モニタ電流値を増幅し、増幅後の電流値を送光側発光部２０に印加する。
【００９１】
ここで、モニタ電流値に対する利得は、例えば予め設定されているものであってもよい。その場合、モニタ電流値に応じた増幅後の電流値が送光側発光部２０に印加されるので、モニタ電流値に応じた光度で送光側発光部２０は発光する。
【００９２】
また例えば、ＭＡＣ部１１が増幅部２３に制御できるようにしてもよい。例えば、モニタ電流値に対応する送光側発光部２０の光度を予め設定しておき、その光度で発光するために必要な駆動電流値となるように、ＭＡＣ部１１が増幅部２３に対して利得を可変設定するようにしてもよい。
【００９３】
なお、この場合も、上述した［送光側発光部２０の光度調整処理（その１）］で説明した通り、ＬＤＤ２２は、温度センサ２２２の値が所定値を超え、かつ、モニタ電流値の大きさが閾値を超えたときには、ＬＤＤ２２がＬＤ２１１への出力を停止するようにしてもよい。さらに、ＬＤＤ２２は、ＰＤ２１２からモニタ電流値が出力されない場合に、信号光送信部２１に異常が生じていることを検出することができるので、その旨をＭＡＣ部１１に通知し、ＭＡＣ部１１が送光側発光部２０を発光（例えば点滅など）させて、信号光送信部２１の異常を報知するようにしてもよい。
【００９４】
（Ａ−３−２）受光側発光部３０の光度調整処理
［受光側発光部３０の光度調整処理（その１）］
図１０は、第１の実施形態の受光側発光部３０の光度調整処理（その１）を説明する説明図である。
【００９５】
信号光受信部３１は、光ファイバ７を通じて受信した信号光を電気信号に変換して、下り電気信号（主信号）を、ＬＩＭ−ＡＭＰ３２に出力する。ＬＩＭ−ＡＭＰ３２は下り電気信号（主信号）を増幅して、増幅後の下り電気信号（主信号）をＭＡＣ部１１に出力する。
【００９６】
ここで、ＬＩＭ−ＡＭＰ３２では、Ｌｅｖｅｌ  Ｄｅｔｅｃｔ回路３２２が、入力された主信号を差動信号の電圧振幅の値（すなわち、受光強度電圧値）に変換し、電圧振幅の値をＭＡＣ部１１に入力する。
【００９７】
ＭＡＣ部１１は受光側発光部３０の光度が差動信号の電圧振幅の値の大きさに対応する光度となるように電流設定値を導出し、ＬＥＤ駆動部３４に出力する。例えば、図１１に例示するように、電流設定値１１１ａは、基準光度と、電流設定値と、電圧振幅値とが対応付けられているものとする。この場合、ＭＡＣ部１１は、図１１に例示する電流設定値１１１ａを参照して、電圧振幅値に対応する電流設定値を導出するようにしてもよい。
【００９８】
ＬＥＤ駆動部３４は、ＭＡＣ部１１から取得した電流設定値に対応する駆動電流値の電流を受光側発光部３０に印加し、受光側発光部３０は印加された駆動電流値に基づいて発光する。これにより、受光強度の大きさに応じた光度で、送光側発光部２０は発光することができる。
【００９９】
［受光側発光部３０の光度調整処理（その２）］
図１２は、第１の実施形態の受光側発光部３０の光度調整処理（その２）を説明する説明図である。
【０１００】
信号光受信部３１は、光ファイバ７を通じて受信した信号光を電気信号に変換して、下り電気信号（主信号）を、ＬＩＭ−ＡＭＰ３２に出力する。ＬＩＭ−ＡＭＰ３２は下り電気信号（主信号）を増幅して、増幅後の下り電気信号（主信号）をＭＡＣ部１１に出力する。
【０１０１】
ＬＩＭ−ＡＭＰ３２では、Ｌｅｖｅｌ  Ｄｅｔｅｃｔ回路３２２が、入力された主信号を差動信号の電圧振幅の値（すなわち、受光強度電圧値）に変換し、電圧振幅の値をＬＥＤ駆動部３４に出力する。
【０１０２】
ＬＥＤ駆動部３４は、ＬＩＭ−ＡＭＰ３２から入力された電圧振幅値を電流値に変換し、その変換した電流値を駆動電流値とし、受光側発光部３０に電流を印加する。そして、受光側発光部３０は印加された駆動電流値に基づいて発光する。これにより、受光強度の大きさに応じた光度で、送光側発光部２０は発光することができる。
【０１０３】
［受光側発光部３０の光度調整処理（その３）］
図１３は、第１の実施形態の受光側発光部３０の光度調整処理（その３）を説明する説明図である。
【０１０４】
信号光受信部３１は、光ファイバ７を通じて受信した信号光を電気信号に変換して、下り電気信号（主信号）を、ＬＩＭ−ＡＭＰ３２に出力する。ＬＩＭ−ＡＭＰ３２は下り電気信号（主信号）を増幅して、増幅後の下り電気信号（主信号）をＭＡＣ部１１に出力する。
【０１０５】
ＬＩＭ−ＡＭＰ３２では、Ｌｅｖｅｌ  Ｄｅｔｅｃｔ回路３２２が、入力された主信号を差動信号の電圧振幅の値（すなわち、受光強度電圧値）に変換する。また、コンパレータ回路３２１が、電圧振幅値と予め設定された閾値とを比較して、その比較結果（判定結果）をＭＡＣ部１１に出力する。ここで、コンパレータ回路３２１には、複数の閾値が設けられており、各閾値は、電圧振幅値の大きさを段階的に区分するためのものである。つまり、電圧振幅値を複数のレベルに分類するために、コンパレータ回路３２１は、複数の閾値を用いて電圧振幅値のレベルを判定する。
【０１０６】
ＭＡＣ部１１は、受光側発光部３０の光度が、コンパレータ回路３２１の判定結果に対応する光度となるように電流設定値を導出し、ＬＥＤ駆動部３４に出力する。例えば、図１４に例示するように、電流設定値１１１ａは、基準光度と、電流設定値と、判定結果とが対応付けられているものとする。この場合、ＭＡＣ部１１は、図１４に例示する電流設定値１１１ａを参照して、判定結果に対応する電流設定値を導出するようにしてもよい。
【０１０７】
ＬＥＤ駆動部３４は、ＭＡＣ部１１から取得した電流設定値に対応する駆動電流値の電流を受光側発光部３０に印加し、受光側発光部３０は印加された駆動電流値に基づいて発光する。これにより、受光強度の大きさに応じた光度で、送光側発光部２０は発光することができる。
【０１０８】
［受光側発光部３０の光度調整処理（その４）］
図１５は、第１の実施形態の受光側発光部３０の光度調整処理（その４）を説明する説明図である。
【０１０９】
信号光受信部３１は、光ファイバ７を通じて受信した信号光を電気信号に変換して、下り電気信号（主信号）を、ＬＩＭ−ＡＭＰ３２に出力する。ＬＩＭ−ＡＭＰ３２は下り電気信号（主信号）を増幅して、増幅後の下り電気信号（主信号）をＭＡＣ部１１に出力する。
【０１１０】
ＭＡＣ部１１は、ＬＩＭ−ＡＭＰ３２から入力された主信号の電圧値（受光強度電圧の値）に基づいて、ＭＡＣ−ＬＳＩに内蔵されたファームウェアで設定された電流値に従い、ＬＥＤ駆動部３４に電流設定値を出力する。例えば、図１６に例示するように、電流設定値１１１ａは、基準光度と、電流設定値と、電圧値とが対応付けられているものとする。この場合、ＭＡＣ部１１は、図１６に例示する電流設定値１１１ａを参照して、電圧値に対応する電流設定値を導出するようにしてもよい。
【０１１１】
ＬＥＤ駆動部３４は、ＭＡＣ部１１から取得した電流設定値に対応する駆動電流値の電流を受光側発光部３０に印加し、受光側発光部３０は印加された駆動電流値に基づいて発光する。これにより、受光強度の大きさに応じた光度で、送光側発光部２０は発光することができる。
【０１１２】
［受光側発光部３０の光度調整処理（その５）］
図１７は、第１の実施形態の受光側発光部３０の光度調整処理（その５）を説明する説明図である。
【０１１３】
信号光受信部３１は、光ファイバ７を通じて受信した信号光を電気信号に変換して、下り電気信号（主信号）を、ＬＩＭ−ＡＭＰ３２に出力する。ＬＩＭ−ＡＭＰ３２は下り電気信号（主信号）を増幅して、増幅後の下り電気信号（主信号）をＭＡＣ部１１に出力する。
【０１１４】
また、信号光受信部３１からの主信号の電圧値が、ＬＥＤ駆動部３３に入力し、ＬＥＤ駆動部３３は、入力した電圧値を電流値に変換し、これを駆動電流値とする電流を、受光側発光部３０に印加する。これにより、受光強度の大きさに応じた光度で、送光側発光部２０は発光することができる。
【０１１５】
（Ａ−４）第１の実施形態の効果
以上のように、第１の実施形態によれば、信号光の送光又は受光に係るモニタ値、設定値又は主信号の電気信号の値のいずれかに基づく駆動電流値の電流を発光部に印加することにより、発光部が発光する光度を、送光強度又は受光強度に対応する光度とすることができる。その結果、ＯＮＵが、主信号の導通不可状態である場合にその原因を推定することに寄与できる。
【０１１６】
また、第1の実施形態によれば、発光部の光度により、光学的特性が運用に耐えられるか否かを簡易的に判定可能となるため、本来特性が保証されていない機種の誤使用や特性劣化及び一部機能不良が発生している経年劣化故障した機器の再使用が防止可能であり、運用開始後にユーザがサービスを受けられなくなる問題を防止することが可能となる。
【０１１７】
（Ｂ）第２の実施形態
次に、本発明に係る光回線終端装置及び光度調整装置の第２の実施形態を、図面を参照しながら詳細に説明する。
【０１１８】
（Ｂ−１）基本概念
上述した第１の実施形態では、ＯＮＵに設けられるＬＥＤ（送光側発光部、受光側発光部）を、送光強度、受光強度に対応する光度で発光させる場合を例示したが、その場合、複数のＬＥＤのそれぞれが同じ基準光度で発光することが望ましい。
【０１１９】
しかし、ＬＥＤはそれぞれ特性が異なることがあり、ＬＥＤ毎に発光強度にバラツキが生じ得、同じ光度で発光させることが難しい。例えば、ＬＥＤの発光強度に影響を与える特性として、順方向電流対光度特性、ＬＥＤ駆動回路での回路構成、抵抗器における抵抗値許容差、環境特性での抵抗値変動などがあり、これらの特性差があるため、一定の発光強度で発光させることは難しい。
【０１２０】
そこで、第２の実施形態では、ＯＮＵの装置製造時やＬＥＤの点灯検査など際、ＯＮＵに設けるＬＥＤの発光強度のバラツキを補正すると共に、ＬＥＤを基準光度で発光させるための駆動電流値をＯＮＵに設定させる光度調整システムを説明する。
【０１２１】
（Ｂ−２）第２の実施形態の構成
図１８は、第２の実施形態に係るＯＮＵに設けられている発光部の光度調整システムの構成を示す構成図である。
【０１２２】
図１８において、光度調整システム４０は、発光部（送光側発光部２０、受光側発光部３０）を備えるＯＮＵ１と、光度調整装置４とを備える。
【０１２３】
ＯＮＵ１は、第１の実施形態の図３に例示したＯＮＵ１と同じ構成を備えるものである。勿論、動作状態に応じて発光する発光部を備えるＯＮＵであり、光度調整対象としての発光部を備えるものであれば、図３の例示するＯＮＵ１に限定されるものではない。
【０１２４】
ＯＮＵ１は、例えば通信ケーブルなどにより光度調整装置４と接続しており、ＯＮＵ１のＭＡＣ部１１は、光度調整装置４から制御信号を取得できるようになっている。なお、ＭＡＣ部１１が光度調整装置４から制御信号を取得できるのであれば、ＯＮＵ１は有線ケーブルで光度調整装置４と接続していることに限定されるものではなく、無線接続されるようにしてもよい。
【０１２５】
ＭＡＣ部１１のＬＥＤ駆動制御部１１１は、光度調整装置４から取得した制御信号に基づいて、送光側発光部２０、受光側発光部３０のそれぞれに駆動電流値の電流を印加するものである。ここで、光度調整対象とする、送光側発光部２０、受光側発光部３０については、順番に光度調整を行なうようにしてもよい。又可能であれば、両方の光度調整処理を並列に行なうようにしてもよい。いずれにしても、送光側発光部２０と受光側発光部３０のそれぞれについて、基準光度で発光させるための駆動電流値を、電流設定値１１１ａとして設定するために、送光側発光部２０と受光側発光部３０のそれぞれについて光度調整を行なう。
【０１２６】
光度調整装置４は、ＯＮＵ１に設けられている送光側発光部２０、受光側発光部３０が発光している状態を捉え、その発光状態に関する情報に基づいて光度測定値を導出し、その光度測定値と基準光度とを比較して、光度測定値が基準光度となるように調整するものである。
【０１２７】
光度調整装置４は、光度測定部４３−１及び光度測定部４３−２と、制御部４１とを有する。
【０１２８】
光度測定部４３−１及び光度測定部４３−２は、光度調整対象とする送光側発光部２０、受光側発光部３０が発光している状態を捉えて、その発光状態に関する情報を制御部４１に与えるものである。光度測定部４３−１及び光度測定部４３−２は、例えば、光度計、撮像装置等を適用することができる。例えば、光度測定部４３−１及び光度測定部４３−２の双方が、光度計若しくは撮像装置であっても良いし、いずれか一方が光度計であり、他方が撮像装置であってもよい。
【０１２９】
この実施形態では、光度測定部４３−１が光度計であり、送光側発光部２０が発光している光度を測定するものであり、光度測定部４３−２が撮像装置であり、受光側発光部３０が発光している状態を撮影する場合を例示する。
【０１３０】
ここで、上記発光状態に関する情報は、例えば、光度計である場合には、光度計が測定した光度測定値を含む情報であり、又例えば、撮像装置である場合には、撮像装置が撮影した撮像画像を含む情報をいう。つまり、光度測定部４３−１及び４３−２の種類に応じて、その具体的な情報の内容は異なるが、発光状態に関する情報は、光度測定部４３−１及び４３−２が捉えた発光状態に関する情報をいう。
【０１３１】
制御部４１は、光度測定部４３−１及び光度測定部４３−２から発光状態に関する情報を取得すると、送光側発光部２０及び受光側発光部３０のそれぞれが発光している光度測定値を導出する。そして、制御部４１は、光度測定値と、予め設定されている基準光度４１１とを比較し、ＯＮＵ１のＭＡＣ部１１に対して、比較結果を含む制御信号を通知する。このように、送光側発光部２０及び受光側発光部３０が発光する光度と、基準光度４１１との比較結果を、ＭＡＣ部１１のＬＥＤ駆動制御部１１１にフィードバックさせることにより、送光側発光部２０及び受光側発光部３０の光度が基準光度となったときの電流設定値１１１ａを設定させることができる。
【０１３２】
ここで、基準光度４１１は、１つの光度であっても良いし、複数の光度であってもよい。複数の基準光度４１１とする場合、光度のレベル（値）が段階的に異なるものとする。これにより、送光側発光部２０及び受光側発光部３０の光度が、段階的に異なる各基準光度で発光するときの駆動電流値を得ることができる。
【０１３３】
また、制御部４１がＬＥＤ駆動制御部１１１に通知する制御信号は、各基準光度と光度測定値との比較結果を反映させた情報を含む。比較結果を反映させた情報は、例えば基準光度と光度測定値との差分値であってもよいし、又例えば、基準光度と光度測定値との差分値に基づいて、ＬＥＤ駆動制御部１１１が出力する電流の駆動電流値を増大又は減少を示す情報や、光度測定値が当該基準光度と一致若しくはほぼ一致することを示す情報であってもよい。
【０１３４】
（Ｂ−３）第２の実施形態の動作
次に、第２の実施形態に係る光度調整処理の動作を説明する。
【０１３５】
作業者は、ＯＮＵ１と光度調整装置４とを接続して、光度調整装置４の制御部４１がＭＡＣ部１１に対して制御信号を通知できるようにする。
【０１３６】
次に、作業者は、光度計としての光度測定部４３−１を、ＯＮＵ１の筐体に設けられている送光側発光部２０に近づけ、また撮像装置としての光度測定部４３−２については、受光側発光部３０が映り込む位置に設ける。
【０１３７】
図１９は、第２の実施形態において、光度計を用いた場合の光度調整処理の動作を示すシーケンス図である。
【０１３８】
光度調整装置４では、送光側発光部２０又は受光側発光部３０の光度を、基準光度４１１のうちいずれの基準光度４１１を用いるのかが選択される。ここで選択された基準光度を目標光度とも呼ぶ。
【０１３９】
光度調整装置４の制御部４１は、ＭＡＣ部１１のＬＥＤ駆動制御部１１１に制御信号を通知し（ステップＳ１１）、ＭＡＣ部１１のＬＥＤ駆動制御部１１１は、送光側発光部２０に印加する駆動電流値を記録した上で、送光側発光部２０に対して駆動電流値の電流を印加する（ステップＳ１２、Ｓ１３）。初期段階では、送光側発光部２０を発光させるために、ＬＥＤ駆動制御部１１１が保持している駆動電流値の電流を流すようにしてもよい。
【０１４０】
送光側発光部２０は、印加された駆動電流値で駆動して発光する（ステップＳ１４）。光度計としての光度測定部４３−１は、送光側発光部２０が発光している光を捕捉して光度値を測定し（ステップＳ１５）、測定結果である光度測定値を制御部４１に与える。
【０１４１】
制御部４１は、光度測定部４３−１から取得した光度測定値と、当該基準光度とを比較し、光度測定値と当該基準光度の差分に基づき、光度測定値が目標光度と一致若しくは許容できる程度に一致しているか否かを判定する（ステップＳ１６）。
【０１４２】
光度測定値が目標光度よりも小さい場合、制御部４１は、その旨の比較結果を含む制御信号を、ＭＡＣ部１１のＬＥＤ駆動制御部１１１に通知する（ステップＳ１１）。当該制御信号を受信したＬＥＤ駆動制御部１１１は、送光側発光部２０が発光する光度を増大させるために、記録している駆動電流値よりも高い駆動電流値に変更して、変更後の駆動電流値の電流を送光側発光部２０に印加し、ステップ１２以降の処理を繰り返し行う。
【０１４３】
また、光度測定値が目標光度よりも大きい場合、制御部４１は、その旨の比較結果を含む制御信号を、ＭＡＣ部１１のＬＥＤ駆動制御部１１１に通知する（ステップＳ１１）。当該制御信号を受信したＬＥＤ駆動制御部１１１は、送光側発光部２０が発光する光度を減少させるために、記録している駆動電流値よりも低い駆動電流値に変更して、変更後の駆動電流値の電流を送光側発光部２０に印加して、ステップ１２以降の処理を繰り返し行う。
【０１４４】
ここで、例えば、制御部４１がＬＥＤ駆動制御部１１１に通知する制御信号に、光度測定値と当該基準光度との差分値が含まれている場合、ＬＥＤ駆動制御部１１１は、前記差分値に基づいて、駆動電流値を増大又は減少させるようにしてもよい。具体的には、ＬＥＤ特性にもよるが、印加する駆動電流値とＬＥＤ光度との間に比例特性があるならば、前記差分値に応じた電流値を、記録している駆動電流値に加算又は減算した電流値に変更するようにしてもよい。
【０１４５】
また例えば、制御信号に、当該基準光度と光度測定値との対比関係（例えば、光度測定値を基準光度で割ったときに得られる値、差分値を光度測定値で割ったときに得られる値等）が含まれる場合、ＬＥＤ駆動制御部１１１は、前記当該基準光度と光度測定値との対比関係に基づいて、駆動電流値を増大又は減少させるようにしてもよい。
【０１４６】
そして、光度測定値が目標光度と一致若しくは許容できる程度に一致している場合、制御部４１は、その旨の比較結果を含む制御信号を、ＭＡＣ部１１のＬＥＤ駆動制御部１１１に通知する（ステップＳ１１）。ＬＥＤ駆動制御部１１１は、当該制御信号を取得すると、記録している駆動電流値を、当該基準光度で発光させるための駆動電流値として電流設定値１１１ａに設定する。
【０１４７】
なお、送光側発光部２０の光度を、別の基準光度に調整する場合、光度調整装置４に、当該別の基準光度を目標光度として設定して、図１９の処理を繰り返し行っていくことで、当該別の基準光度に関する駆動電流値についても設定することができる。
【０１４８】
図２０は、第２の実施形態において、撮像装置を用いた場合の光度調整処理の動作を示すシーケンス図である。
【０１４９】
基本的には、図１９で説明した処理と同様であるので、ここでは、撮像装置に特有の処理動作を中心に説明する。
【０１５０】
撮像装置としての光度測定部４３−２は、受光側発光部３０を撮影し（ステップＳ２０）、受光側発光部３０が映っている撮像画像を制御部４１に与える。
【０１５１】
制御部４１は、光度測定部４３−２からの撮像画像を解析して、受光側発光部３０の画像領域の画素値を抽出し（ステップＳ２１）、その抽出した画素値から光度測定値を導出する（ステップＳ２２）。例えば、制御部４１は、撮像画像において、発光している部分の画素値を「１」、それ以外を「０」として発光部分の領域を特定し、その領域の各画素値を平均化した値と、予め画素値と光度との対応関係テーブルとを参照して、当該領域の画素平均値に対応する光度値を光度測定値として導出するようにしてもよい。なお、画像から発光部分の光度を導出する方法は、これに限定されるものではない。
【０１５２】
そして、制御部４１は、導出した光度測定値と基準光度とを比較して（ステップＳ１６）、比較結果を含む制御信号を、ＭＡＣ部１１のＬＥＤ駆動制御部１１１に与える。
【０１５３】
（Ｂ−４）第２の実施形態の効果
以上のように、第２の実施形態によれば、光度調整装置を用いて、ＯＮＵに設けられている発光部の光度を測定し、光度測定値と基準光度との比較結果を、ＭＡＣ部にフィードバックすることにより、ＯＮＵの装置製造時の点灯検査にて、作業者の官能評価や検査設備による判定バラツキによる点灯及び消灯状態を誤って判定することを防止することが可能となる。
【０１５４】
また、第２の実施形態によれば、ＬＥＤの点灯と消灯の閾値である基準光度を単一の値に定められるため、運用時に確認者に点灯状態を誤って判断することを防止可能となる。
【０１５５】
さらに、第３の実施形態によれば、光度が低い原因となる順方向電流対光度特性の悪いＬＥＤ部品も使用可能となるため、高価なＬＥＤを使用して一定の特性分布となるものを使用する必要が無くなりコスト低減が可能となる。
【０１５６】
（Ｃ）他の実施形態
上述した第１及び第２の実施形態においても種々の変形実施形態を言及したが、本発明は、以下の変形実施形態にも適用することができる。
【０１５７】
（Ｃ−１）第１及び第２の実施形態によれば、ＯＮＵに設けられている送光側発光部、受光側発光部を、複数の段階的な基準光度で発光させることができる。
【０１５８】
しかし、作業者は、送光側発光部、受光側発光部の光度で、段階的に発光するか確認することができないことがある。つまり、どの程度の度合いで、発光部（ＬＥＤ）が段階的に発光するか分からないことがある。
【０１５９】
そこで、ＯＮＵには、複数の段階で発光する送光側発光部、受光側発光部の光度を確認するために、階調確認モードを備えるようにしてもよい。具体的には、ＯＮＵの筐体には、階調確認モードを動作させるためのボタンを有する。そして、ボタンが選択されると、ＬＥＤ駆動制御部が、所定時間（例えば５秒間）だけ、ある基準光度の駆動電流値の電流を発光部（送光側発光部、受光側発光部）に印加し、発光部が当該基準光度で発光し、前記所定時間経過後に、さらに所定時間だけ、次の基準光度の駆動電流値の電流を発光部に印加し、発光部が当該次の基準光度で発光する。このように、全ての基準光度の駆動電流値の電流を所定時間毎に発光部に印加することで、当該発光部の階調光度を確認することができる。
【０１６０】
（Ｃ−２）第１及び第２の実施形態では、発光部を備えるＯＮＵに適用する場合を例示したが、光トランシーバ機能（光通信部）を備える光伝送システムに用いられる装置であれば、ＯＮＵに限定されない。勿論、光回線終端装置は、ＯＬＴにも適用できる。
【０１６１】
（Ｃ−３）第１及び第２の実施形態のＯＮＵにおける発光部を駆動する回路は、特に限定されるものでない。
【符号の説明】
【０１６２】
ＮＴ…光通信システム、１（１−１〜１−ｎ）…ＯＮＵ、２…ＯＬＴ、１１…ＭＡＣ部、１２…光通信部、１２１…光送信部、１２２…光受信部、
２０…送光側発光部、２１…信号光送信部、２２…ＬＤＤ、２３…増幅部、２４…ＬＥＤ駆動部、
３０…受光側発光部、３１…信号光受信部、３２…リミッティングアンプ（ＬＩＭ−ＡＭＰ）、３３…ＬＥＤ駆動部、３４…ＬＥＤ駆動部。
【図１】
2020141211.tif 000003
【図２】
2020141211.tif 000004
【図３】
2020141211.tif 000005
【図４】
2020141211.tif 000006
【図５】
2020141211.tif 000007
【図６】
2020141211.tif 000008
【図７】
2020141211.tif 000009
【図８】
2020141211.tif 000010
【図９】
2020141211.tif 000011
【図１０】
2020141211.tif 000012
【図１１】
2020141211.tif 000013
【図１２】
2020141211.tif 000014
【図１３】
2020141211.tif 000015
【図１４】
2020141211.tif 000016
【図１５】
2020141211.tif 000017
【図１６】
2020141211.tif 000018
【図１７】
2020141211.tif 000019
【図１８】
2020141211.tif 000020
【図１９】
2020141211.tif 000021
【図２０】
2020141211.tif 000022